(57)【要約】グリーンエネルギーの消費管理に関し、グリーンエネルギーは、再生可能でかつ環境に優しいソースに由来するエネルギーであり、他のソースから得られるエネルギーと一緒に電力分配ネットワークの中に導入されることを狙いとし、それによって、他のソースから得られるエネルギーと共に、区別されない方法で、所定の送達ポイントに分配される。グリーンエネルギーは、生産地点証明書、例えばＲＥＣＳに関連付けられ、それの経済的価値は、エネルギー生産高に比例する。電力分配ネットワークは、各送達ポイントにおいて、これが受け持つ工場における総エネルギー消費を計算する、少なくとも１つの消費計数装置を含む。システムは、電力分配ネットワークに関連付けられ、１つ以上の通信ネットワークにおいて電子データ接続を管理するように設計された少なくとも１つのサーバーと、サーバーの中で動作し、前記生産地点証明書ＲＥＣＳに関連する信用数を収集するための収集手段と、グリーンエネルギーの消費者から受領される購入指示書に基づいて、信用数を部分化するための部分化手段とを含む。各ユーザーによって保持される部分化された信用数を運ぶための蓄積手段は、ユーザーによって購入された信用数の現在の量を蓄積すること、及び再生可能でかつ環境に優しいソースから、ユーザーが引き出そうとしているエネルギーに対応するエネルギー消費に基づいた信用数の部分を、その量から差し引く。【選択図】図１
2015517695.tif 000002
【特許請求の範囲】
【請求項１】
グリーンエネルギーの消費を管理するためのシステムであって、グリーンエネルギーは、再生可能でかつ環境に優しいソース１に由来するエネルギーであり、他のソース３によって生産されるエネルギーと一緒に電力分配ネットワーク２の中に導入され、それによって、他のソース３によって生産されたエネルギーと共に、区別されない方法で、所定の送達ポイント２０、５０に分配され、前記グリーンエネルギーは生産地点証明書２３に関連付けられ、生産地点証明書２３の経済的価値はエネルギー生産高に比例し、前記電力分配ネットワーク２は、前記各送達ポイント２０、５０において、これが受け持つ工場における総エネルギー消費を計算できる少なくとも１つの消費計数装置２２を含み、
１つ以上の通信ネットワークにわたってコンピュータ接続を管理し、前記分配システム３に関連付けられる少なくとも１つのサーバー７と、
前記サーバー７の中で動作する、前記生産地点証明書２３によって表される信用数の収集手段５と、前記グリーンエネルギーの消費者から受領される購入指示書に基づいて、前記信用数を部分化するための部分化手段と、
前記ユーザーによって購入された信用数の現在数を蓄積し、かつ、同じユーザーの意図において、再生可能でかつ環境に優しいソースに由来するエネルギーに対応するエネルギー消費に基づく信用数の量を、前記信用数の数から差し引き、前記各ユーザーによって保持される前記部分化された信用数を運ぶための蓄積手段３０、５３蓄積手段と、を備える
ことを特徴とするシステム。
【請求項２】
前記各送達ポイント２０のための少なくとも１つの計量／計算装置２５であって、前記装置は、
エネルギーを取り出すための前記計数装置が受け持つ電気システムの対応する出力に接続される入力２６と、
前記エネルギーの使用ポイントまたは使用ポイント群に供給する出力２７と、
前記計量／計算装置２５を通って輸送されるエネルギーを測定するための測定ユニット２８と、輸送される前記エネルギーの量を測定するコンピュータ制御ユニット２９と、を含み、
部分化された信用数を運ぶための前記キャリア手段３０は、前記計量／計算装置の一部であるメモリ領域を含み、前記制御ユニット２９はまた、前記部分化された信用数の現在量から、前記計量／計算装置２５を通過するエネルギーに対応するエネルギー消費の合計を差し引くための計算手続きを備える
請求項１に記載のシステム。
【請求項３】
前記計量／計算装置２５はまた、前記通信ネットワークを通して、前記サーバー７と通信するための通信インターフェース３１を含み、前記部分化された信用数は、前記通信ネットワークを通して前記装置２５上にダウンロードされる
請求項２に記載のシステム。
【請求項４】
前記専用のメモリ領域３０は、前記計量／計算装置２５から物理的に除去されることが可能であり、かつＵＳＢインターフェースを備えた書き換え可能な永久メモリによって構成される
請求項２に記載のシステム。
【請求項５】
前記計量／計算装置２５はまた、前記制御ユニット２９によって制御され、かつ部分化された信用数が使い果たされた場合、自身に接続されたユーザーへのエネルギー供給を中断する電流スイッチング手段３３を含む
請求項１に記載のシステム。
【請求項６】
前記計量／計算装置２５はまた、尺度単位変換手段を含み、この尺度単位変換手段は、変換手続きを含み、この変換手続きは、前記制御ユニット及び処理ユニットの中で動作し、かつ消費されたエネルギーの読みを証明書の観点で対応する値に直ちに変換し、かつ前記値を、前記測定装置に属する表示手段３２に送信する
請求項１に記載のシステム。
【請求項７】
前記送達ポイント２０は、公的なエネルギー販売ポイント５０であるか、または形は何であれ、複数のユーザーにアクセス可能であり、かつ、前記送達ポイントにおいて、送達されるエネルギーを送達し、かつ計数するための装置５１が存在し、この装置５１は、部分化された信用数５３を運ぶための前記キャリア手段の対応するインターフェースと互換性のあるインターフェース５２を備え、インターフェース５２はまた、前記送達−計数装置に接続される書き換え可能な永久メモリを有し、それによって、前記販売ポイント５０から取り出されたエネルギーに比例する証明書に由来する前記信用数の減損を得る
請求項１に記載のシステム。
【請求項８】
グリーンエネルギーの消費を管理するための方法であって、グリーンエネルギーは、再生可能でかつ環境に優しいソース１に由来するエネルギーであり、他のソース３によって生産されたエネルギーと一緒に電力分配ネットワーク２の中に導入され、それによって、他のソース３によって生産されたエネルギーと共に、区別されない方法で、所定の送達ポイント２０、５０に分配され、前記グリーンエネルギーは生産地点証明書２３に関連付けられ、生産地点証明書２３の経済的価値はエネルギー生産高に比例し、前記電力分配ネットワーク２は、前記各送達ポイント２０、５０において、これが受け持つ工場における総エネルギー消費を計算する少なくとも１つの消費計数装置４を含み、
前記電力分配ネットワーク２の管理者に関連付けられるか、または前記電力分配ネットワーク２から独立した、１つ以上の通信ネットワークにおいてコンピュータ接続を管理するサーバー７によって、前記生産地点証明書２３に関連する信用数を収集するステップと、
前記グリーンエネルギーの消費者から来る購入指示書に基づいて、前記信用数を部分化するステップと、
前記部分化された信用数を、所定の量において、対応する量を支払ったユーザーに帰属させるステップと、
前記量から、同じユーザーが、再生可能でかつ環境に優しいソースから引き出されたと考えることを意図するエネルギーに対応するエネルギー消費に基づいた信用数の数を差し引くステップと、を含み
前記対応するエネルギーは、エネルギー送達装置２５、５１を通して消費され、エネルギー送達装置２５、５１は、エネルギー計量／計算手段２５を有し、かつまた、部分化された信用数を運ぶための前記キャリア手段３０、５３と相互作用し、部分化された信用数は、規定のユーザーによって購入された信用数の量についての情報を運ぶ
ことを特徴とする方法。
【請求項９】
前記エネルギー計量／計算手段２５はまた、前記通信ネットワークを通して、前記サーバー７と通信するための通信インターフェースを含み、かつ、対応する消費に基づいて部分化された信用数の部分を前記減損することが、前記サーバー７との前記計量／計算手段２５の実時間相互作用を用いて成し遂げられる
請求項８に記載の方法。
【請求項１０】
対応する消費に基づいて部分化された信用数の部分を前記減損することは、部分化された信用数を運ぶための前記キャリア手段３０の上で、部分化された信用数の部分を取り消すことによって成し遂げられ、前記キャリア手段は、前記計量／計算手段２５に関連付けられる
請求項８に記載の方法。
【請求項１１】
前記計量／計算手段２５は１つの装置を含み、この装置は、電気ソケットに接続され、かつ少なくとも１つの自分自身のソケット２７と、輸送されるエネルギー２８を測定するための計量ユニットとを備え、前記電気ソケット２７を通して消費されるエネルギーの量を前記減損することは、部分化された信用数を運ぶための前記キャリア手段３０を、前記計量／計算手段２５に接続し、かつ、その後、前記信用数から消費エネルギーに比例する量を減損することによって実行される
請求項８に記載の方法。
【請求項１２】
部分化された信用数を運ぶための前記キャリア手段３０は、前記計量／計算装置２５に永久的な方法で取り付けられる
請求項１１に記載の方法。
【請求項１３】
部分化された信用数を運ぶための前記キャリア手段３０は、物理的に独立であり、書き換え可能な永久メモリカードから成り、かつ、前記グリーンエネルギーが消費される場合、前記計量／計算装置２５に取り付けられるか、または前記サーバー７の制御の下で配置される専用メモリ領域から成る
請求項１１に記載の方法。
【請求項１４】
前記送達ポイントは、公的なエネルギー販売ポイント５０であるか、または形は何であれ、複数のユーザーにアクセス可能であり、かつ、前記送達ポイント５０において、送達されるエネルギー５１の送達計数装置が存在し、この送達計数装置は、部分化された信用数５３を運ぶための前記キャリア装置の対応するインターフェースと互換性のあるインターフェースを備え、かつ、送達されるエネルギーの量に比例する信用数の量を減損することは、前記送達計数装置５１に存在する適切なインターフェースに、前記キャリア装置５３を接続することの結果として実行される
請求項８に記載の方法。
【発明の詳細な説明】
【技術分野】
【０００１】
本発明は、再生可能なまたは環境に優しいソースから得られる電気エネルギーの生産、及び分配に関係する技術分野に関する。
【０００２】
特に、所定量の、いわゆるグリーンエネルギーの生産地点を保証する証明書について、これの帰属を決定し、分配し、かつ計算するための方法及びシステムに関し、グリーンエネルギーとは、上述の再生可能な、または形はどうであれ、環境に優しいソースから生産され、かつユーザーによって消費されるものである。
【背景技術】
【０００３】
今日、再生可能な、または形はどうであれ、環境影響が無い、または非常に限られたソースからエネルギーを生産することに、相当な重要性が与えられることが知られている。再生可能なソースからの電気エネルギー生産の重要な例として、水力発電所、風力発電所、光起電力発電所、地熱発電所などが含まれる。
【０００４】
上述のソースから生産される電気エネルギーは、伝統的な化石ソースである、第一に石油及び天然ガスから生産されるエネルギーに対して、本質的により高価であることは確かであり、その生産高だけでなく、その用途も開発する必要性が増え続けると感じられる。実際に、エネルギーサービスのユーザーは、化石資源を開発することなく、更に環境汚染を引き起こすことなく、かつそのようなソースの将来の利用可能性を危うくすることなく生産されるエネルギーを購入し、かつ使用することを増々意識しており、このことは、我々の地球の健康状態の劣化を抑制し、かつ我々の子孫のためにも、依然として住みよく、かつそれほど汚染されていない環境を保証するための最も良い方法である。
【０００５】
汚染しないソースから引き出されるエネルギーに対して、かなり大きな割合のユーザーが、合理的に高い価格を喜んで支払うことさえも示されてきた。
【０００６】
実際面では、上で説明されてきたことは、再生可能なエネルギー技術の普及及び開発において、高潔なフィードバック機構を時間と共に築くことが可能である。実際、完全にあり得ることであるが、ユーザーが再生可能でかつ持続可能なソースから引き出されるエネルギーをより積極的に喜んで購入することを、仮にエネルギー生産者が立証する場合、生産者は、より多くの刺激を受けて、自分の生産高のグリーン部分を増加させる。その後、生産者は、自分の将来の投資を画定する際、この事実を考慮に入れる。
【０００７】
エネルギー生産及び分配の現在組織の暗黙的様相は、従来の方法で生産されるエネルギー、及び再生可能でかつ環境持続可能なソースから引き出されるエネルギーの両方が、同じ電力分配ネットワークの中に導入されることであり、この電力分配ネットワークによって、エネルギーが、産業及び家庭の最終ユーザーに運ばれるという事実である。それ故に、ユーザーのために利用可能とされるエネルギーの真の生産地点を識別することは、実際不可能である。他方で、並列の毛細管のような電力分配ネットワークが、物理的に分離された方法で、再生可能なソースから引き出されるエネルギーを分配するために構築されるだろうと仮定することは、全くありそうもない。
【０００８】
一方では、クリーンエネルギーを使用したいという一部のユーザーの要求を満たすために、他方では、生産単位により高いコストを払ってさえも、クリーンエネルギーを生産したいという自分達の関心を示すべく生産者の興味を満たすために、再生可能なソースに由来するエネルギーの部分のための証明システムで、しかも興味ある当事者間でそのような証明書を交換するための証明システムが、時間と共に作り出され、かつ開発されてきた。例えば、ＡＩＢ（Ａｓｓｏｃｉａｔｉｏｎ  ｏｆ  Ｉｓｓｕｉｎｇ  Ｂｏｄｉｅｓ：発行団体の協会）は、ＲＥＣＳ（Ｒｅｎｅｗａｂｌｅ  Ｅｎｅｒｇｙ  Ｃｅｒｔｉｆｉｃａｔｅ  Ｓｙｓｔｅｍ：再生可能エネルギー証明書システム）及びＧＯ（Ｇｕａｒａｎｔｅｅ  ｏｆ  Ｏｒｉｇｉｎ：生産地点の保証）を用いて、グリーンエネルギー（即ち、再生可能なソースから引き出される）の品質証明のためのヨーロッパ標準化システムを促進する。
【０００９】
基本的に、発行された証明書は、ある量の電気エネルギーが、再生可能でかつ非汚染源からの生産であることに対する正確な規則に従って、生産されたことを確認する。そのような証明書は、以前の生産量に対して、特定の要求を順守したことが分かる生産者に対して与えられる。
【００１０】
証明書によって表わされる「品質」信用数は、分割され、かつ、例えば卸売商に売却されることが可能であり、卸売商は更に、分割されたものを、それぞれの送達ポイントに送達される供給に基づいて、最終ユーザーに売却できる。ある量のエネルギーに対する証明書を購入することによって、この正確な量に対して、ユーザーは、再生可能でかつクリーンなソースから引き出されたエネルギーを、実際に使用したことが示される。
【００１１】
最終ユーザーに売却された証明書は、合計され、かつ太陽年の終了時に常に記録される。
【００１２】
それ故に、証明書の送達は、良く画定された電力供給年間契約と常に関連付けられ、かつ、単一送達ポイントを示すが、この単一送達ポイントは、電力供給業者によってそのポイントに設置された電気エネルギー計量装置によって画定されるものである。
【００１３】
ユーザーによる上述の証明書の購入は、同じユーザーにとって、電力供給に対するコスト増加の原因となる。しかしながら、増加したコストは、環境問題について関心がある会社としての評判を促進し、かつ創造すること対して、有利に使用され得るイメージ報酬によって、特に会社の場合には報いられる。
【発明の概要】
【発明が解決しようとする課題】
【００１４】
ＲＥＣＳ、ＧＯ及び他の同様な証明書を管理するアプローチには相当な制限があり、その制限とは、個人ユーザーにとって証明書は興味ないものとなり、かつ、特に、再生可能なソースから引き出されるエネルギーを高コストで購入することから最も満足を得るユーザーにとっては興味ないものとなり、これらのユーザーの満足は、非汚染の、かつ持続可能である消費を自分達の目で見ることだけによって得られる。
【００１５】
実際に、証明書を扱う従来の方法には、送達ポイントでの通常の電力供給が含まれ、送達ポイントでは、送達されるエネルギーを計算し、かつユーザーが購入した、またはこれから購入しようとする再生可能エネルギーに対して、考慮されるべき期間に対して消費者の総エネルギー消費の一部としての最終平均を計算する。このように、実際には、年の終わり、または毎四半期の終わりのいずれかに、ユーザーは、別の細目を単に有することになり、この細目が、請求書に存在する他の多くの細目の中で、支払い価格を増加させる。それ故に、実際には、ある瞬間に、またはある期間に、生態学的に受け入れ可能な基準及び技術に従って生産されたエネルギーを、実際に消費したことをユーザーに意識させる明らかな方法は存在しない。
【課題を解決するための手段】
【００１６】
本発明の目的は、再生可能でかつ環境に優しいソースから引き出されるエネルギーの消費を管理するためのシステム、及びそれを実行するのに対応した方法を提案することである。この方法によって、ユーザーは、いつ、どのように、かつどの特定の応用に対して、購入された、ある量のそのような再生可能エネルギーを使用するべきかを決定することが可能になる。
【００１７】
発明の別の目的は、システム及び方法を提案することであり、このシステム及び方法によって、エネルギー供給に関連するタスク、及びユーザーが消費しようとしている再生可能でかつクリーンなエネルギーの量を管理するタスクを分離し、かつ互いを総合的に独立させることが可能となる。
【００１８】
上述の目的は、グリーンエネルギーの消費を管理するための方法及びシステムによって、請求項の内容に従って完全に得られるが、グリーンエネルギーとは、再生可能でかつ環境に優しいソースに由来するエネルギーであり、グリーンエネルギーは、他のソースによって生産されるエネルギーと一緒に電力分配ネットワークの中に導入され、それによって、他のソースのエネルギーと一緒に、区別されない方法で、所定の送達ポイントへ分配されることを狙いとする。グリーンエネルギーは生産地点証明書である、例えばＲＥＣＳ証明書に関連付けられるが、その経済的価値は、エネルギー生産高に比例する。電力分配ネットワークは、各送達ポイントにおいて、少なくとも１つの消費計数装置を含むが、消費計数装置は、各送達ポイントが受け持つ工場において総エネルギー消費を計算することを狙いとする。
【００１９】
システムは、電力分配ネットワークに関連し、１つ以上の通信ネットワークにわたって電子データ接続を管理するように設計された少なくとも１つのサーバーと、サーバーの中で動作し、前記生産地点証明書ＲＥＣＳに関連する信用数を収集するための収集手段と、グリーンエネルギーの消費者から受領される購入指示書に基づいて、信用数を部分化するための部分化手段とを含む。
【００２０】
各ユーザーによって保持される部分化された信用数を運ぶための蓄積手段は、ユーザーによって購入された現在量の信用数を蓄積し、かつ、再生可能でしかも環境に優しいソースからユーザーが引き出そうとしているエネルギーに対応するエネルギー消費に基づいて、その蓄積量から信用数の部分を差し引くことを狙いとする。
【図面の簡単な説明】
【００２１】
【図１】本発明の第１実施形態によって得られる再生可能なソースから引き出されるエネルギーの消費を管理するためのシステムの一般的ブロック図
【図２】図１のシステムに属する計量／計算装置のブロック図
【図３】本発明の第２実施形態によって得られる再生可能なソースから引き出されるエネルギーの消費を管理するためのシステムの一般的ブロック図
【発明を実施するための形態】
【００２２】
本発明の特徴は、請求項から明らかとなり、図面を参照しながら、以下に詳述する。
【００２３】
図１を参照すると、グリーンエネルギー、即ち、再生可能なソース、またはどんな形であれ、環境影響が非常に限られた、または全く無いソースから引き出されるエネルギーの消費を管理するためのシステムの第１実施形態が以下に説明される。図１は、光起電力パネルによって形成される発電機１を示す。しかしながら、理解されることであるが、本発明の目的のために、環境に優しい任意のソースを使用することが可能であり、その生産高は、ＲＥＣＳまたは他の種類の証明書に関連付けることが可能である。
【００２４】
エネルギーを生成し、かつ分配するためのシステムの通常構造に従って、光起電力発電機１及び他の全ての現存する再生可能なソースによって生産されるエネルギーは、例えば同じ生産者に属する従来タイプの１つ以上の発電機３によって生産されるエネルギーと一緒に、電力分配ネットワーク２の中に導入される。
【００２５】
既知の技術によれば、光起電力発電機１の下流には、生産されたグリーンエネルギーを計数するための計数装置４、及びそのようなエネルギーの帰属に対して証明書、例えばＲＥＣＳ証明書、を生成するための装置５が存在する。しかしながら、説明を単純化するだけのために、その後、この種の証明書に対して特定の参照がなされる。
【００２６】
生産され、かつ電力分配ネットワークの中に導入されたエネルギーは、従って、規定の生産者によって生産された、いくつかのまたは全てのＲＥＣＳ証明書と一緒に、分配者１１に一般に売却されるが、分配者１１は、続いて、そのエネルギーを送達ポイント２０で最終ユーザーに転売し、かつ、この送達ポイントに関連付けられる工場２１の消費に基づいて、そのエネルギーに対して最終的に請求書を発行するように注意する。この目的のために、消費計数装置２２が設けられ、消費計数装置２２は、工場２１によって使用されたエネルギーを計算することを狙いとする。その上、供給全体は、従来方法において、分配者１１によって購入されたＲＥＣＳ証明書２３によって表されるものに対応する信用数の量に関連付けられ、その結果、工場２１によって使用されたエネルギーは、光起電力発電機１に由来する、または他のグリーンエネルギーの発電機に由来するものと認識され、それらのエネルギーに対して、分配者１１によって所有されるＲＥＣＳ証明書が生成される。
【００２７】
発明によれば、光起電力発電機１によって生産されるエネルギーの消費を管理するためのシステムは、独立したサーバー７を含み、サーバー７は、１つ以上の地球規模的通信ネットワーク、例えばインターネット、携帯電話ネットワークなどへの適切でかつ既知の接続を備えたプロセッサを含む。前述のサーバー７は、所定量のエネルギー、例えば上述のＲＥＣＳ証明書に対する生産地点証明書を分配する管理者に属する。発明によれば、この人は、エネルギー生産者１０または分配者１１であるか、または同等に有利な方法においては、独立した人である可能性があり、独立した人の関心は、生産エネルギー市場とは関係なく、ＲＥＣＳ証明書によって与えられる信用数にのみ関係する。
【００２８】
上述の通信ネットワークを管理するための操作システム及び通常手続きの他に、サーバー７では、発電機５の近くで発行されるＲＥＣＳ証明書の一部または全体量を購入し、かつ部分化するための手続きも走る。これらの手続きもまた、証明書の管理者によって購入された前述の証明書と関係する信用数のための収集手段として一般に知られる。
【００２９】
部分化された信用数は、ユーザーによって管理者から購入されることが可能であり、ユーザーは、選択された量の自分達のエネルギー消費を、光起電力発電機１に由来する、または他の再生可能なエネルギーの発電機に由来するグリーン生産に直接帰属させようとする。購入及びそれぞれの支払いは、既知の従来経路を用いて実行され得る。
【００３０】
発明の第１の例示された実施形態によれば、グリーンエネルギーの消費を管理するためのシステムは、各送達ポイント２０に対して、少なくとも１つのエネルギー計量／計算装置２５を含む。
【００３１】
装置２５は（図２も参照のこと）、規定のユーザーに対応する送達ポイント２０が受け持つ工場２１から取られるエネルギーの入力２６を含む。入力２６は、普通、しかし常にではなく、通常のプラグによって形成されるが、このプラグは、工場２１の使用ポイントで提供されるものに対応するソケットに接続されるように適合している。
【００３２】
装置２５はまた、電力出力２７を含むが、電力出力２７は、例えば、入力プラグ２６によって取られたエネルギーを負荷に転送することを狙いとする標準電力ソケットを用いて形成されることが可能である。
【００３３】
入力２６と出力２７の間には、供給されるエネルギーを測定するための測定装置２８が設けられるが、これの回路構成は、既知でかつ市場で利用可能な構成の中の任意のものであり得る。計量装置は、計量／計算装置２５を用いて取り出されたエネルギー量を計数することを狙いとする。
【００３４】
計量装置はまた、コンピュータ制御ユニット２９を含むが、コンピュータ制御ユニット２９は、前述の測定装置２８に電気的に接続され、かつ計量／計算装置２５を用いてエネルギー消費を測定することを狙いとする。
【００３５】
キャリア手段３０はまた、サーバー７に登録されたＲＥＣＳ証明書によって表される上述の部分化された信用数を運ぶための制御ユニット２９に接続される。そのような部分化された信用数の量は、ユーザーによってサーバー７に送られる購入指示書に本質的に対応する。
【００３６】
計量／計算装置２５はまた、サーバー７によって使用されかつアクセス可能な通信ネットワークと通信するためのインターフェース３１を含む。インターフェースは、制御ユニット２９に接続され、かつ制御ユニットの中で走る通信手続きによって制御されることを狙いとするが、それによって、サーバー７と通信し、かつユーザーによる購入の結果としてのＲＥＣＳ証明書に関連する新しい部分化された信用数を受信する。
【００３７】
発明の特に重要な特質は、通信インターフェース３１が、サーバー７と実時間で接続されることであるが、例えばこの接続は、既知の「ワイヤレス」接続、即ち、ＲＦ接続を用いたインターネットによるか、または、ＳＭＳまたは他の既知の方法を介した携帯電話ネットワークインターフェースによるかで行われる。このように、ユーザーによって購入されたＲＥＣＳ証明書が、サーバー７に保持されることは可能であり、かつ、それ故に、信用数を運ぶための前述のキャリア手段３０が、サーバー７に存在する専用メモリ領域によって形成される。また、消費に基づく信用数の減損は、サーバー７によって直接管理され得る。
【００３８】
別の可能な実施形態によれば、装置２５の中に設けられたキャリア手段３０は、ユーザーによって所有される部分化された信用数に対応するコードを受信できる専用の永久メモリ領域によって形成される。
【００３９】
制御ユニット２９は、既知のプログラミング技術に従って作成された管理手続きを含むが、この管理手続きが可能なことは、メモリ領域３０からユーザーによって受信可能な部分化された信用数の現在の値を取り出すこと、計量装置２８によって測定される消費に対応するＲＥＣＳ証明書の観点でその値を記録すること、部分化された信用数の量から等価な値を減じ、かつメモリ領域３０の中に残りの値を蓄積することである。
【００４０】
装置２５はまた、表示装置３２を有し、表示装置３２は、メモリ領域３０に、またはサーバー７に存在する残りの信用数を表示することを狙いとし、その結果、ユーザーは、自分の信用数をいつ補充するべきかを常に気づいている。
【００４１】
実際に、発明の別の特質は、発明が、尺度の単位を変換するための手段を含むことにあり、この手段は、計量／計算装置２５の制御ユニット２９の中に位置し、かつ適切な変換手続きによって形成され、かつ消費されたエネルギーに関連する読みを、証明書の観点で対応する値に直ちに変換し、かつこの値を表示装置３２に送信することを狙いとする。
【００４２】
好みに応じて、装置２５はまた、制御されたスイッチ３３を有することが可能であり、スイッチ３３は制御ユニット２９に接続され、かつ、仮に信用数が使い果たされる場合、出力２７への現在の供給を中断することを狙いとする。この場合、ユーザーは、装置２５を通してなされた消費全体がＲＥＣＳ証明されたものであり、かつ、従って、再生可能なソースから引き出されたものとなる。
【００４３】
実際の応用において、装置２５は、適切な容器の中に囲われた上記の要素によって形成されるが、この容器は、工場２１の中に設けられた使用ポイントの１つの代わりに、工場２１の中に取付けることが可能である。代わりに、装置２５は、標準入力プラグを備えることが可能であり、かつ、従って、装置２５は完全に持ち運び可能で、かつ工場２１から独立することが可能である。この場合、装置２５は、任意の他の工場のユーザーによって、分配者１１から引き出されたエネルギーの供給とは完全に独立して、かつ規定の生産者によって引き出されたエネルギーからさえも独立して、有利にも使用されることが可能である。
【００４４】
部分化された信用数ＲＥＣＳを運ぶための上記手段３０の代替バージョンによれば、キャリア手段３０は、独立したメモリユニットによって構成され、かつ計量及び計算装置２５から物理的に除去されることが可能であり、例えば、ＵＳＢインターフェースを備えた書き換え可能な永久メモリを備えたペンドライブである。このように、キャリア手段３０は装置２５から除去され、かつ、他の経路、例えばサーバー７によって使用される上述の通信ネットワークに接続されたコンピュータ、によって一杯に満たされることが可能である。
【００４５】
図３に例示される、発明に従うシステムの第２実施形態によれば、分配者１１、または生産者が直接受け持つ送達ポイントは、公的なエネルギー販売ポイント５０、または形は何であれ、複数のユーザーに対してアクセス可能な販売ポイント、例えば電気自動車のための充電ステーションである。この場合、送達ポイントは、エネルギー送達−計数装置５１を含むが、エネルギー送達−計数装置５１は、完全な既知技術によって作成され、かつ電流を送達すること、及び基本料金に従って計算された量で電流を受け取るユーザーから引き落としすることが可能である。
【００４６】
エネルギー送達−計数装置５１はインターフェースユニット５２に接続され、インターフェースユニット５２は、販売ポイント５０からこの瞬間にエネルギーを受け取るユーザーによって所有される部分化された信用数５３のために、前述のキャリア装置に接続される。有利には、この場合、部分化された信用数５３のためのキャリア装置は、上記のように持ち運び可能であり、かつ、好ましくはＵＳＢメモリペンドライブによって形成されるが、ＵＳＢメモリペンドライブは、ユーザーが信頼する部分化されたＲＥＣＳ信用数の現在量を、適切に分類して蓄積する。エネルギー送達−計数装置５１は、ユーザーによって取られたエネルギーに対応する部分化されたＲＥＣＳ信用数の量を計算し、かつキャリア装置５３上の前述の信用数の量を更新するための、適切な計算手続きを備える。
【００４７】
実際には、ユーザーがエネルギー送達−計数装置５１をインターフェース５２の中に導入する場合、対応するＲＥＣＳ信用数の合計が、同じユーザーによって取られたエネルギーの全体量に対して計算され、かつ、その後、そのような合計は、キャリア装置５３に存在する信用数の数から導き出される。
【００４８】
しかしながら、仮に販売ポイント５０の送達ソケットと互換性を持つ入力プラグが備えられていれば、発明の第１実施形態で説明されたように、ユーザーが、持ち運び可能な計量／計算装置を用いて、同じ結果を得られることは明白である。
【００４９】
上で説明された発明の利点は、環境問題に関心があるユーザーに、再生可能でかつ環境に優しいソースから引き出されるエネルギーの消費を管理するためのシステム、及びそれを実行するのに対応した方法が提供され、これによって、ユーザーは、自分が購入したそのような再生可能なエネルギーのある量が、いつ、どのように、かつどの特定の応用に使用されるべきかを決定できるという事実である。
【００５０】
発明の別の利点は、発明がシステム及び方法を提供し、このことが、エネルギーを供給するタスク、及びユーザーが消費しようとしている再生可能でかつクリーンなエネルギーの量を管理するタスクを分離し、かつ完全に独立させることを可能にするという事実から出ている。
【００５１】
上記は、限定例ではなく、純粋な例として説明した。それ故に、発明の可能な変更及び異なるバージョンは、上で説明され、かつ以下で請求されるように、本技術的解決法に与えられた保護範囲の内である。
【図１】
2015517695.tif 000003
【図２】
2015517695.tif 000004
【図３】
2015517695.tif 000005
【国際調査報告】
2015517695.tif 000006
2015517695.tif 000007